(57)【特許請求の範囲】
【請求項１】
流体通路に配置した電子式流量計の側から共通の信号線を介して、流体流通状態を表す第１のパルスおよび定量の流体が流れる毎に発生する第２のパルスを受け取り、前記第１のパルスに基づき、複数のパイロット表示セグメントを一定の順序で周期的に点灯させる表示器において、
前記共通の信号線を介して入力される前記第１および第２のパルスを監視し、当該第１および第２のパルスが検出されると、前記第２のパルスのパルス幅以下の設定時間（ｔｃ）だけ前記第１のパルスの入力を無効とすると共に当該設定時間（ｔｃ）の経過後に前記第１のパルス入力を有効とする動作を繰り返し、有効とされた前記第１のパルスを用いて、前記複数のパイロット表示セグメントの表示位置を予め設定された順序に従って１セグメント分づつ移動させることを特徴とする表示器の表示制御方法。
【請求項２】
請求項１において、前記第１のパルスの入力周波数が前記設定時間の逆数で表される設定周波数（１／ｔｃ）以上になった場合には、前記複数のパイロット表示セグメントの表示位置の移動速度を、前記設定周波数（１／ｔｃ）に保持することを特徴とする表示器の表示制御方法。
【請求項３】
請求項２において、前記複数のパイロット表示セグメントの表示位置の移動速度が前記設定周波数（１／ｔｃ）よりも大きな速度から当該設定速度を下回る速度に低下した場合には、有効とされる前記第１のパルスの周波数が前記設定周波数の半分（１／（２×ｔｃ））を下回るまでの間は、前記複数のパイロット表示セグメントの移動速度を前記設定周波数（１／ｔｃ）のままに保持することを特徴とする表示器の表示制御方法。
【請求項４】
請求項１において、前記第１のパルスの入力周波数が前記設定時間の逆数で表される設定周波数（１／ｔｃ）以上になった場合には、当該入力パルスの周波数を演算し、得られた周波数に基づき一定の期間だけ前記複数のパイロット表示セグメントの表示位置を移動させる表示制御を繰返行なうことを特徴とする表示器の表示制御方法。
【請求項５】
請求項４において、演算により得られた前記の周波数が予め設定されている上限周波数以上となった場合には当該上限周波数で前記複数のパイロット表示セグメントの表示位置を移動させることを特徴とする表示器の表示制御方法。
【請求項６】
請求項５において、前記第１のパルスの入力周波数が前記設定周波数（１／ｔｃ）よりも大きな周波数から当該設定周波数を下回る周波数に低下する場合には、当該入力パルス周波数が前記設定周波数よりも予め設定した量だけ低い周波数まで低下した時点で、前記複数のパイロット表示セグメントの表示位置の移動を有効とされた前記第１のパルスにより行なうことを特徴とする表示器の表示制御方法。
【請求項７】
請求項１ないし６のうちの何れかの項において、前記電子式流量計は、水道管等の流体通路を流れる流体の流量等を流体通路に配置した流体流によって回転する回転体の回転状況に基づき計測するように構成されており、当該電子式流量計の側において、前記回転体の少なくとも１回転毎に前記第１のパルスを発生させ、前記回転体の回転数に基づき定量の流体が流れる毎に、前記第１のパルス信号とはパルス幅の異なる前記第２のパルスを発生させ、これら第１および第２のパルスを前記共通の信号線を介して前記表示器の側に伝送するようになっていることを特徴とする表示器の表示制御方法。
【発明の詳細な説明】
【０００１】
【発明の属する技術分野】
本発明は、水道管等を流れる流体の流速、流量等を表示する表示器における表示制御方法に関するものである。
【０００２】
さらに詳しくは、水道管等の流体通路に配置した羽根車の回転状況に基づき流体流の流速等を測定する電子式流量計における計測結果を離れた位置の表示器に伝送して表示する場合等に用いられる当該表示器の表示制御方法に関するものである。
【０００３】
【従来の技術】
電子式流量計、例えば、電子式水道メータは、水道管の途中に介挿して使用される。一般的な水道メータでは、水道水の流れる通路内に通路方向に向けて軸式の羽根車を配置し、この羽根車の回転を磁気抵抗素子等を利用した非接触型のセンサで検出し、センサ検出値に基づき、流体流量、流体の流れ方向等の情報を計測・表示するようにしている。
【０００４】
このような電子式流量計は、液晶等から構成される表示部を備えており、計測した流量積算値等がここに表示される。しかし、水道メータが設置される場所は、屋外（地中等）の目立たない場所が多く、検針や稼働状態を調べるためには不便である。このため、水道メータとは離れた位置（地上等）に遠隔表示器を配置し、これと水道メータとを信号線で接続し、水道メータの側から計測値等の情報を伝送して、遠隔表示器の側で表示できるようにしたシステムが採用されている。
【０００５】
【発明が解決しようとする課題】
この伝送表示システムにおいては、水道メータの側から、水道水が流れているか否か、その流れの方向等を表す水道水の流通状態や、水道水の流量や、使用流量の積算情報等が、遠隔表示器の側に伝送される。遠隔表示器の側では、これらの情報を選択的に切り換え表示している。伝送される情報の種類、伝送用の信号線の本数等の観点から、水道水の流通状況を表す情報と、水道水の積算量を表す情報は、共通の信号線を用いて伝送される。
【０００６】
本願人はこれらの情報を遠隔表示器の側で区別できるようにするために、パルス幅の異なるパルスを利用することを提案している。すなわち、水道水の流通状況を表す情報、例えば、水道水が流れているか否かを示す情報には、羽根車の回転に応じて、例えば１回転毎に出力される狭い幅の第１のパルスを用いている。遠隔表示器の側では、このパルスを用いて、その液晶表示部に形成されている複数のセグメントに区画された楕円形のパイロット表示部の表示位置を周方向に移動させて、水道水が流れている旨を表示している。これに対して、定量、例えば１００リットルの流量が流れたことを表す積算情報は、上記の第１のパルスよりもパルス幅の広い第２のパルスを用いている。遠隔表示器の側では、このパルスを受け取る毎に、積算値表示部をインクリメントして、積算値の表示を行なうようにしている。
【０００７】
ここで、一般には第１のパルスの周期は０乃至２００Ｈｚ程度である。上記のように、遠隔表示器の側ではこの第１のパルスを用いてパイロット表示部の表示セグメントを回転させるようにしている。例えばパイロット表示部の表示セグメントの数が６である場合、人間の目が明確に表示セグメントの回転方向を認識できる回転周波数は約１０乃至２０Ｈｚの間である。これよりも周波数が高くなると、人間の目には表示セグメントが逆回転しているように認識されたり、全ての表示セグメントが点灯しているように認識されてしまう。
【０００８】
このために、電子式流量計の側から伝送される第１のパルスをそのまま用いて遠隔表示器のパイロット表示器を回転駆動すると、その回転周波数が高い場合には、その回転状態を目視により認識できない場合が出来てしまう。また、２００Ｈｚもの高周波数でパイロット表示部を駆動させる処理速度にＣＰＵの処理速度が追従できなくなる場合もある。さらには、このような高速処理を行なうと、消費電力が大きくなり、遠隔表示器が電池駆動の場合には電池寿命が短くなってしまう等の弊害が発生する。
【０００９】
このような弊害を回避するためには、第１のパルスを間引いたパルスを用いて表示器のパイロット表示部を駆動すればよい。しかし、第１のパルスを単に間引く処理を行なうと、共通の信号線を介して伝送される第２のパルス（定量パルス）も間引いてしまうおそれがある。第２のパルスは例えば塩素注入のような水道水の滅菌処理等に利用されるので、第２のパルスも間引かれてしまうことは回避する必要がある。
【００１０】
本発明の課題は、上記の点に鑑みて、第２のパルスを間引いてしまうことなく、第１のパルスに基づき表示器のパイロット表示部を目視によって認識できる状態で表示駆動可能な表示制御方法を提案することにある。
【００１１】
【課題を解決するための手段】
上記の課題を解決するために、本発明は、流体通路に配置した電子式流量計の側から共通の信号線を介して、流体流通状態を表す第１のパルスおよび定量の流体が流れる毎に発生する第２のパルスを受け取り、前記第１のパルスに基づき、複数のパイロット表示セグメントを一定の順序で周期的に点灯させる表示器において、当該表示器を次のようにして表示制御するようにしている。すなわち、前記共通の信号線を介して入力される前記第１のパルスを監視し、当該第１のパルスが検出されると、前記第２のパルスのパルス幅以下の設定時間（ｔｃ）だけ前記第１のパルスの入力を無効とすると共に当該設定時間（ｔｃ）の経過後に前記第１のパルス入力を有効とする動作を繰り返し、有効とされた前記第１のパルスを用いて、前記複数のパイロット表示セグメントの表示位置を予め設定された順序に従って１セグメント分づつ移動させるようにしている。
【００１２】
この表示制御方法によれば、設定時間（ｔｃ）の間に入力される第１のパルスを間引くことができるので、複数のパイロット表示セグメントの移動速度は１／ｔｃ（Ｈｚ）以下に抑制される。従って、パイロット表示セグメントが目視により認識できないような速度で移動することを防止できる。また、設定時間（ｔｃ）は第２のパルスのパルス幅よりも狭いので、この第２のパルスが間引かれてしまうこともない。
【００１３】
ここで、入力パルス周波数が１／ｔｃ（Ｈｚ）を越える時点では、有効とされる第１のパルスの周波数がその１／２に低下してしまう。このため、有効とされるパルスの周波数をそのまま用いてパイロット表示セグメントの表示位置を移動させると、その移動速度が突然半分に低下してしまい、表示が不自然となる。そこで、このような弊害を回避するためには、前記第１のパルスの入力パルス周波数が前記設定時間の逆数で表される設定周波数（１／ｔｃ）以上になった場合には、前記複数のパイロット表示セグメントの表示位置の移動速度を、当該設定周波数（１／ｔｃ）に保持すればよい。
【００１４】
また、前記第１のパルスの入力パルス周波数が前記設定周波数（１／ｔｃ）よりも大きな周波数から当該設定周波数を下回る周波数に低下する場合には、有効とされる前記第１のパルスの周波数が前記設定周波数の半分（１／（２×ｔｃ））を下回るまでの間は、前記複数のパイロット表示セグメントの移動速度を前記設定周波数（１／ｔｃ）のままに保持することが望ましい。この理由は、前記第１のパルスを設定時間（ｔｃ）毎に間引いている関係上、設定周波数とその半分の周波数の間の区間では、有効とされるパルスの周波数（パイロット表示セグメントの移動速度）が入力パルス周波数に対応して増減しないからである。
【００１５】
一方、前記第１のパルスの入力パルス周波数が前記設定周波数（１／ｔｃ）以上になった場合に、上記のように、パイロット表示セグメントの表示位置の移動速度を一定の周波数に固定する代わりに次にようにすることも可能である。
【００１６】
すなわち、前記第１のパルスの入力パルス周波数が前記設定時間の逆数で表される設定周波数（１／ｔｃ）以上になった場合には、当該入力パルス周波数を演算し、当該演算周波数に基づき一定の期間だけ前記複数のパイロット表示セグメントの表示位置を移動させる表示制御を繰返行なうようにしてもよい。この表示制御方法によれば、設定周波数（１／ｔｃ）以上になった場合にも、入力パルスの周波数に連動して複数のパイロット表示セグメントを駆動制御できるので好ましい。
【００１７】
しかし、パイロット表示セグメントの表示位置の移動速度が目視により認識できるよりも高速になることは回避する必要があるので、前記の演算周波数が予め設定されている上限周波数以上となった場合には当該上限周波数で前記複数のパイロット表示セグメントの表示位置を移動させることが望ましい。
【００１８】
ここで、設定周波数（１／ｔｃ）を境にして制御方法を切り換える場合、当該設定周波数を挟み入力パルス周波数が繰り返し上下すると、その都度制御が切り換わってしまう。この弊害を回避するためには、制御の切り換え時点にヒステリシスを持たせることが望ましい。すなわち、前記第１のパルスの入力パルス周波数が前記設定周波数（１／ｔｃ）よりも大きな周波数から当該設定周波数を下回る周波数まで低下した場合には、前記入力パルス周波数が前記設定周波数よりも予め設定した量だけ低い周波数まで低下した時点の後から、前記複数のパイロット表示セグメントの表示位置の移動を、有効とされた前記第１のパルスを用いて行なうようにすればよい。
【００１９】
【発明の実施の形態】
以下に、図面を参照して本発明の実施の形態を説明する。
【００２０】
図１には、本発明の表示制御方法を適用可能な電子式水道メータおよび遠隔表示器から構成される伝送システムを示してある。当該伝送システムの電子式水道メータ１は水道管に介挿して使用され、水道水の通路を区画形成しているメータケース２と、このメータケース２の内部に区画形成した円筒状の計量室３と、この計量室３内に水道水の流れる方向に向けて回転自在に取付けれらた羽根車４を備えている。羽根車４の先端には一対の磁石５が取付けられている。これらの磁石５の上方には、制御部６が配置されている。この制御部６は、磁石５の回転を非接触状態で検出する磁気抵抗素子からなるセンサ７を備えていると共に、後述するセンサ出力に基づき各種の演算処理を行う処理回路部分と、演算結果を出力表示する液晶表示部分を備えている。さらには、駆動電源であるリチウム電池１０を備えている。
【００２１】
この制御部６において計測された情報は、信号線群１１を介して、離れた位置に配置されている遠隔表示器１２の側に伝送される。遠隔表示器１２は、本体ケース１３の表面に液晶表示部１４を備えており、この液晶表示部１４は、８桁の積算値表示セグメント１５と、複数に区画された楕円形のパイロット表示セグメント１６を備えている。
【００２２】
図２には、本例の伝送システムの制御系の概要を示してある。水道メータ１の側の制御部６は、例えば１チップマイクロコンピュータを用いて構成することができる。図に示すように、センサ７によって検出された羽根車４の回転を示す電気信号は、回転検出回路２１、正逆判別回路２２、定数変換回路２３等に供給されて、羽根車４の回転数、回転方向等が検出される。
【００２３】
回転検出回路２１では、例えば、羽根車４が１回転する毎に、一定の幅のパルスを２パルス出力する。例えば、２乃至１０ミリ秒程度の幅のパルスを出力する。このようなパルスＰ１からなる第１のパルス信号Ｓ１は、羽根車４が回転していること、即ち、水道水が流れていることを表すものである。従って、パルスＰ１の周期は羽根車４の回転数、即ち、水道水の流速に対応する。
【００２４】
次に、検出された回転数、回転方向等に関する情報は、積算回路２４、瞬時流量回路２５、流量監視回路２６等に供給されて、積算流量、瞬時流量等が計測される。計測された積算流量値、瞬時流量等は、液晶駆動回路２７を介して、液晶表示器２８によって表示出力される。
【００２５】
積算回路２４では、一定の流量、例えば１００リットルの水道水が流れる毎に、一定のパルス幅のパルスＰ２（定量パルス）を出力する。例えば、１００乃至１０００ミリ秒程度の広い幅のパルスを出力する。
【００２６】
上記のように回転検出回路２１から出力される第１のパルス信号Ｓ１および積算回路２４から出力される第２のパルス信号Ｓ２は、データ出力回路２９に供給され、ここから信号線群１１に含まれる共通の信号線１１ａを経由して、遠隔表示器１２の側に伝送される。したがって、第１および第２のパルス信号は合成されて１種類の信号として出力される。
【００２７】
図３には、信号線１１ａを経由して伝送される第１および第２のパルス信号Ｓ１、Ｓ２と、これらの合成信号Ｓ３を示してある。（ａ）は第１のパルス信号Ｓ１であり、水流が一定であり、羽根車が定速回転している場合を例に挙げてある。すなわち、一定の間隔で、１０ｍ秒の幅の第１のパルスＰ１（ｉ）（ｉは正の整数）が現れている。これに対して、第２のパルス信号Ｓ２では、流量が一定の１００リットルになる毎に、１００ｍ秒の幅の第２のパルスＰ２（ｉ）が現れている。これらの信号の論理和を取った信号が合成信号Ｓ３である。
【００２８】
再び、図２に戻って説明する。遠隔表示器１２の側では、信号線群１１を介して伝送された各種信号を、データ入力回路３１で受けとり、これらの信号をデータ判別回路３２を含む表示制御回路３３に供給する。上記の第１および第２のパルス信号Ｓ１、Ｓ２も、信号線群１１に含まれる共通の信号線１１ａ、データ入力回路３１を経由して、表示制御回路３３に供給される。表示制御回路３３は、ＣＰＵおよびＲＯＭ、ＲＡＭを含むマイクロコンピュータにより構成される。
【００２９】
データ入力回路３１を介してパルス入力があると、表示制御回路３３は割り込み制御を実行して、データ判別回路３２において、合成信号Ｓ３に含まれるパルスＰ１（ｉ）、Ｐ２（ｉ）の判別を行なう。判別された第１のパルス信号を形成している第１のパルスＰ１（ｉ）を用いて、液晶駆動回路３４を介して、液晶表示器１４におけるパイロット表示セグメント１６を予め定めた順序で点滅駆動して、水道水が流れていることを表示出力する。また、判別された第２のパルス信号を形成している第２のパルスＰ２（ｉ）を用いて、液晶駆動回路３４を介して、８桁のセグメント表示領域１５に表示されている流量積算値をインクリメントする。
【００３０】
液晶表示器１４におけるパイロット表示セグメント１６は、例えば、４個の表示セグメント１６−１乃至１６−４によって楕円形の表示部が形成されている。各表示セグメント１６−１乃至１６−４は、後述するように有効とされた第１のパルスによりその点灯セグメントが順次に隣のセグメントに切り換わるように表示制御され、水道水の流速および流れの方向に対応するセグメントの表示位置の移動速度が目視により認識できるようになっている。
【００３１】
図４は、本例の遠隔表示器１２における液晶表示器１４のパイロット表示セグメント１６の表示制御動作の概略フローチャートである。図５は、入力される第１のパルスの周波数とパイロット表示セグメントの点灯位置の移動速度との対応関係を示すグラフである。これらの図に従って、表示制御動作を説明する。
【００３２】
共通の信号線１１ａおよびデータ入力回路３１を介してパルスが入力されると、入力パルスが第１および第２のパルスの何れであるのかが判別される（ステップＳＴ１、ＳＴ２）。パルス判別は、第１のパルス幅の標準幅をｔａ（ｍｓｅｃ）、第２のパルス幅の標準幅をｔｂ（ｍｓｅｃ）とした場合、第１および第２のパルスであるか否かはパルス幅が次の範囲内にあるか否かにより判別できる。
【００３３】
第１のパルス幅  ｔ＝ｔａ±パルス幅誤差α
第２のパルス幅  ｔａ＜  ｔ  ＜ｔｂ±パルス幅誤差α
なお、上記のパルス幅よりも狭いパルスが入力された場合には、当該パルスをノイズと判断して無視する。逆に、上記のパルス幅よりも広いパルスが入力された場合には、短絡あるいはパルス入力異常が発生したものと判断して、同じくパルス入力を無視する。
【００３４】
第１のパルスが入力された場合にはステップＳＴ３からステップＳＴ１３までのルーチンに沿って制御を行なう。すなわち、第１のパルスが入力されると、第２のパルスのパルス幅ｔｂ以下の設定時間ｔｃだけ、共通の信号線１１ａを介して供給されるパルスの受け付けを停止する。この結果、受け付けられた第１のパルス（有効パルス）の周波数（有効周波数）は最大でも１／ｔｃ（Ｈｚ）となる。上記のように、有効とされた第１のパルスによってパイロット表示セグメント１６の点灯位置を移動させていくので、その移動速度（回転速度）は１／ｔｃ（Ｈｚ）以下に抑制される。設定時間ｔｃの値を適切に定めておけば、パイロット表示セグメント１６の点灯位置の移動速度は目視により回転方向が明確に認識できる速度以下に制御できる。
【００３５】
ここで、このようにして設定時間ｔｃの間は入力された第１のパルスを無効とする制御を行なうと、実際に入力される第１のパルスの周波数が１／ｔｃ（Ｈｚ）を越えた時点で有効周波数が半減してしまう。説明を簡単にするために、等しい間隔で第１のパルスの入力があると仮定すると、図６（Ａ）に示すように、その周期がｔｃよりも大きい状態から、図６（Ｂ）に示すように僅かに狭い周期になると、１パルス置きにパルス入力が無効とされる。この結果、一時的に有効とされた第１のパルスの有効周波数が半減してしまう。
【００３６】
そこで、本例においては、第１のパルスの入力周期がｔｃ未満となった場合には、換言すると、第１のパルスの入力周波数が１／ｔｃ（Ｈｚ）を越えた場合には、図４のステップＳＴ４からステップＳＴ２１乃至ＳＴ２３のルーチンに沿って制御を実行して、有効とされた第１のパルスの有効周波数を１／ｔｃ（Ｈｚ）に保持するようにしている。従って、本例では、第１のパルスの入力周波数が１／ｔｃ（Ｈｚ）を越えた場合には、パイロット表示セグメント１６の点灯位置の移動速度が当該周波数に固定される。
【００３７】
一方、第１のパルスの入力周波数が１／ｔｃ（Ｈｚ）を越えた後に再び低下して１／ｔｃ（Ｈｚ）を下回った場合には、入力周波数が１／（２・ｔｃ）（Ｈｚ）に到るまでの間の区間では、パイロット表示セグメント１６の移動速度が入力される第１のパルスの周波数に応じたものとはならない。このために、本例においては、このような場合に、ステップＳＴ５、ＳＴ３１、３２を実行して、この区間ではパイロット表示セグメント１６の点灯位置の移動速度を１／ｔｃ（Ｈｚ）のままに保持するようにしている。
【００３８】
このようにして、図５のグラフに示すようにパイロット表示セグメント１６の点灯位置の移動速度が制御される。
【００３９】
（その他の実施の形態）
上記の実施例においては、パイロット表示セグメント１６の点灯位置の移動速度が１／ｔｃ（Ｈｚ）を越えないように制御している。したがって、これ以上の領域（図５における１／ｔｃ（Ｈｚ）よりも右側の領域）では、表示位置の移動速度が第１のパルスの入力周波数に対して全く対応しないものとなっている。このような領域においても第１のパルスの入力周波数に対応させてパイロット表示セグメント１６の点灯位置を移動させるためには、次のように表示制御を行なえば良い。すなわち、第１のパルスの入力パルス周波数が設定時間ｔｃの逆数で表される設定周波数１／ｔｃ（Ｈｚ）以上になった場合には、入力される第１のパルスを連続で２パルス以上取り込み、そのパルスの周波数を算出する。その後、設定時間ｔｃの間は入力パルスを無効とする。その間、この算出した周波数に対応する速度で、予め設定した時間ｔｄの間はパイロット表示セグメント１６の点灯位置を移動させる。この動作を繰り返すことにより、図７に示すようにパイロット表示セグメント１６の点灯位置の移動速度が段階的に上昇することになる。
【００４０】
この場合には、目視によりパイロット表示セグメント１６の点灯位置の移動が明確に認識できないような速度となることが無いように、移動速度に上限速度を設定しておき、算出した周波数がこの上限速度を越えないようにすることが必要となる。
【００４１】
また、第１のパルスの入力パルスの周波数が設定周波数１／ｔｃ（Ｈｚ）よりも大きな周波数から当該設定周波数を下回る周波数に低下する場合には、当該入力パルス周波数が設定周波数１／ｔｃ（Ｈｚ）よりも予め設定した値だけ低い周波数まで低下した時点から、パイロット表示セグメント１６の表示位置の移動を再び第１のパルスの入力に基づき行なうことが望ましい。
【００４２】
このようにすれば、設定周波数１／ｔｃ（Ｈｚ）を境にして第１のパルスの入力周波数が繰り返し上下した場合にその都度制御が切り換わってしまうことを回避できる。
【００４３】
【発明の効果】
以上説明したように、本発明は、流体通路に配置した電子式流量計の側から共通の信号線を介して、流体流通状態を表す第１のパルスおよび定量の流体が流れる毎に発生する第２のパルスを受け取り、第１のパルスに基づき、複数のパイロット表示セグメントを一定の順序で周期的に点灯させる表示器において、共通の信号線を介して入力されるパルスを監視し、第１および第２のパルスが検出されると、第２のパルスのパルス幅以下の設定時間（ｔｃ）だけパルスの入力を無効とすると共に当該設定時間（ｔｃ）の経過後に第１および第２のパルス入力を有効とする動作を繰り返し、有効とされた第１および第２のパルスを用いて、複数のパイロット表示セグメントの表示位置を予め設定された順序に従って１セグメント分づつ移動させるようにしている。従って、本発明の方法によれば、パイロット表示セグメントの点灯位置を移動させるための第１のパルスを間引いた後の有効パルスによってパイロット表示セグメントの点灯位置が移動する。このため、パイロット表示セグメントの点灯位置の移動速度が目視により認識できないような高速になってしまうことを回避できる。また、設定時間（ｔｃ）は第２のパルスの幅よりも小さいので、第２のパルスが間引かれてしまうこともない。
【図面の簡単な説明】
【図１】本発明を適用した電子式水道メータおよび遠隔表示器を含むシステムの機械的構成を示す概略構成図である。
【図２】図１のシステムの制御系を示す概略ブロック図である。
【図３】第１、第２のパルス信号および合成信号の信号波形の例を示す信号波形図である。
【図４】遠隔表示器のパイロット表示セグメントの表示制御のフローチャートである。
【図５】第１のパルスの入力周波数とパイロット表示セグメントの点灯位置の移動速度との対応関係を示すグラフである。
【図６】第１のパルスの入力周期が設定時間ｔｃの前後の場合における有効パルス数の変化を説明するための説明図である。
【図７】本発明の表示制御方法の変形例を示すフローチャートである。
【符号の説明】
１    電子式水道メータ
４    羽根車（回転体）
６    制御部
７    センサ
１１  信号線
１１ａ  共通の信号線
１２  遠隔表示器
１４  液晶表示器
１５  積算値表示領域
１６  パイロット表示セグメント
２１  回転検出回路
２４  積算回路
２９  データ出力回路
３１  データ入力回路
３２  データ判別回路
３３  表示制御回路
３４  液晶駆動回路
Ｓ１  第１のパルス信号
Ｓ２  第２のパルス信号
Ｓ３  合成信号
Ｐ１（ｉ）  第１のパルス信号のパルス
Ｐ２（ｉ）  第２のパルス信号のパルス
【図１】
0003854347.tif 000002
【図２】
0003854347.tif 000003
【図３】
0003854347.tif 000004
【図４】
0003854347.tif 000005
【図５】
0003854347.tif 000006
【図６】
0003854347.tif 000007
【図７】
0003854347.tif 000008